(57)【要約】      （修正有）【課題】ＵＥが周波数内セル再選択中およびその後にｅＭＢＭＳセッション持続時間を拡張することを可能にするための方法を提供する。【解決手段】ＲＲＣアイドルモードにある間、第１のＭＢＳＦＮエリア中の第１のセルからＭＢＭＳサービスを受信する。第２のセルのカバレージに移動すると、周波数内セル再選択を通じて第２のセルに再選択する。第２のセルは、第１のＭＢＳＦＮエリアとは異なる第２のＭＢＳＦＮエリア中のＭＢＳＦＮセルまたは非ＭＢＳＦＮセルである。第２のセルからページング信号を受信しながら、第１のセルから直接ＭＢＭＳサービスを受信し続ける。【選択図】図１１
2018129831.tif 000002
【特許請求の範囲】
【請求項１】
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を備える、ワイヤレス通信の方法。
【請求項２】
前記第２のセルからシステム情報ブロック（ＳＩＢ）を取得することと、
システム情報ブロック１３（ＳＩＢ１３）が前記第２のセルから取得されたかどうかを決定することと
をさらに備える、請求項１に記載の方法。
【請求項３】
前記ＳＩＢ１３が前記第２のセルから取得されなかったと決定すると、前記第１のセルから前記ＭＢＭＳサービスを受信し続けることを決定することをさらに備える、請求項２に記載の方法。
【請求項４】
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
をさらに備える、請求項２に記載の方法。
【請求項５】
前記ＭＢＭＳサービスが前記第２のセルによって提供されないと決定すると、前記第１のセルから前記ＭＢＭＳサービスを受信し続けることを決定することをさらに備える、請求項４に記載の方法。
【請求項６】
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えることをさらに備える、請求項４に記載の方法。
【請求項７】
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視することをさらに備える、請求項１に記載の方法。
【請求項８】
異なるＭＢＭＳサービスについての情報が前記第１のセルから前に受信されなかったとき、前記第１のセルから前記異なるＭＢＭＳサービスを受信することに切り替えることを控えることをさらに備える、請求項１に記載の方法。
【請求項９】
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
をさらに備える、請求項１に記載の方法。
【請求項１０】
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
をさらに備える、請求項１に記載の方法。
【請求項１１】
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
をさらに備える、請求項１に記載の方法。
【請求項１２】
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
をさらに備える、請求項１１に記載の方法。
【請求項１３】
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
をさらに備える、請求項１に記載の方法。
【請求項１４】
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
をさらに備える、請求項１３に記載の方法。
【請求項１５】
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
をさらに備える、請求項１に記載の方法。
【請求項１６】
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信するための手段と、
第２のセルのカバレージに移動すると、周波数内セル再選択を通じて前記第２のセルに再選択するための手段と、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けるための手段と
を備える、ワイヤレス通信のための装置。
【請求項１７】
前記第２のセルからシステム情報ブロック（ＳＩＢ）を取得するための手段と、
システム情報ブロック１３（ＳＩＢ１３）が前記第２のセルから取得されたかどうかを決定するための手段と
をさらに備える、請求項１６に記載の装置。
【請求項１８】
前記ＳＩＢ１３が前記第２のセルから取得されなかったと決定すると、前記第１のセルから前記ＭＢＭＳサービスを受信し続けることを決定するための手段をさらに備える、請求項１７に記載の装置。
【請求項１９】
前記ＳＩＢ１３が前記第２のセルから取得されたと決定すると、前記第２のセルからマルチキャスト制御チャネル（ＭＣＣＨ）を取得するための手段と、
前記取得されたＭＣＣＨに基づいて、前記ＭＢＭＳサービスが前記第２のセルによって提供されるかどうかを決定するための手段と
をさらに備える、請求項１７に記載の装置。
【請求項２０】
前記ＭＢＭＳサービスが前記第２のセルによって提供されないと決定すると、前記第１のセルから前記ＭＢＭＳサービスを受信し続けることを決定するための手段をさらに備える、請求項１９に記載の装置。
【請求項２１】
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるための手段をさらに備える、請求項１９に記載の装置。
【請求項２２】
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するための手段をさらに備える、請求項１６に記載の装置。
【請求項２３】
異なるＭＢＭＳサービスについての情報が前記第１のセルから前に受信されなかったとき、前記第１のセルから前記異なるＭＢＭＳサービスを受信することに切り替えることを控えるための手段をさらに備える、請求項１６に記載の装置。
【請求項２４】
前記第１のセルからの前記ＭＢＭＳサービスからのデータが失われているかどうか、または前記第１のセルからの前記ＭＢＭＳサービスの信号品質のうちの少なくとも１つを決定するための手段と、
失われたデータが第１のしきい値よりも大きいとき、または前記信号品質が第２のしきい値よりも低いときのうちの少なくとも１つにおいて、前記ＭＢＭＳサービスの受信を停止するための手段と
をさらに備える、請求項１６に記載の装置。
【請求項２５】
前記第１のＭＢＳＦＮエリア中の第３のセルのカバレージに移動すると、周波数内セル再選択を通じて前記第２のセルから前記第３のセルに再選択するための手段と、
前記第３のセルからページング信号を受信しながら、前記第３のセルから直接前記ＭＢＭＳサービスを受信し続けるための手段と
をさらに備える、請求項１６に記載の装置。
【請求項２６】
前記第１のセルから前記ＭＢＭＳサービスを受信することと前記第２のセルからユニキャストサービスを受信することとの間の優先度を示す優先度設定のための構成を受信するための手段と、
前記第２のセルからユニキャストサービスアベイラビリティを示すメッセージを受信するための手段と、
前記優先度設定のための前記構成に基づいて、前記ユニキャストサービスを受信すべきか、前記ＭＢＭＳサービスを受信すべきかを決定するための手段と
をさらに備える、請求項１６に記載の装置。
【請求項２７】
前記構成が、前記ＭＢＭＳサービスよりも高い前記ユニキャストサービスについての優先度を示すとき、前記ＭＢＭＳサービスの受信を停止し、前記ユニキャストサービスを受信するための手段と、
前記構成が、前記ユニキャストサービスよりも高い前記ＭＢＭＳサービスについての優先度を示すとき、前記ＭＢＭＳサービスを受信し続け、前記ユニキャストサービスを受信することを控えるための手段と
をさらに備える、請求項２６に記載の装置。
【請求項２８】
前記第２のセルからユニキャストサービスアベイラビリティを示すメッセージを受信するための手段と、
前記ユニキャストサービスを受信すべきか、前記ＭＢＭＳサービスを受信し続けるべきかをユーザに尋ねるための手段と
をさらに備える、請求項１６に記載の装置。
【請求項２９】
前記ユーザが、前記ユニキャストサービスを受信する要望を示すとき、前記ＭＢＭＳサービスの受信を停止し、前記ユニキャストサービスを受信するための手段と、
前記ユーザが、前記ＭＢＭＳサービスを受信し続ける要望を示すとき、前記ＭＢＭＳサービスを受信し続け、前記ユニキャストサービスを受信することを控えるための手段と
をさらに備える、請求項２８に記載の装置。
【請求項３０】
第３のセルのカバレージに移動すると、周波数内セル再選択を通じて前記第３のセルに再選択するための手段と、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けるための手段と
をさらに備える、請求項１６に記載の装置。
【請求項３１】
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を行うように構成された処理システム
を備える、ワイヤレス通信の装置。
【請求項３２】
前記処理システムは、
前記第２のセルからシステム情報ブロック（ＳＩＢ）を取得することと、
システム情報ブロック１３（ＳＩＢ１３）が前記第２のセルから取得されたかどうかを決定することと
を行うようにさらに構成された、請求項３１に記載の装置。
【請求項３３】
前記処理システムは、前記ＳＩＢ１３が前記第２のセルから取得されなかったと決定すると、前記第１のセルから前記ＭＢＭＳサービスを受信し続けることを決定するようにさらに構成された、請求項３２に記載の装置。
【請求項３４】
前記処理システムは、
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
を行うようにさらに構成された、請求項３２に記載の装置。
【請求項３５】
前記処理システムは、前記ＭＢＭＳサービスが前記第２のセルによって提供されないと決定すると、前記第１のセルから前記ＭＢＭＳサービスを受信し続けることを決定するようにさらに構成された、請求項３４に記載の装置。
【請求項３６】
前記処理システムは、前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるようにさらに構成された、請求項３４に記載の装置。
【請求項３７】
前記処理システムは、前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するようにさらに構成された、請求項３１に記載の装置。
【請求項３８】
前記処理システムは、異なるＭＢＭＳサービスについての情報が前記第１のセルから前に受信されなかったとき、前記第１のセルから前記異なるＭＢＭＳサービスを受信することに切り替えることを控えるようにさらに構成された、請求項３１に記載の装置。
【請求項３９】
前記処理システムは、
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
を行うようにさらに構成された、請求項３１に記載の装置。
【請求項４０】
前記処理システムが、
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
を行うようにさらに構成された、請求項３１に記載の装置。
【請求項４１】
前記処理システムが、
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
を行うようにさらに構成された、請求項３１に記載の装置。
【請求項４２】
前記処理システムは、
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
を行うようにさらに構成された、請求項４１に記載の装置。
【請求項４３】
前記処理システムが、
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
を行うようにさらに構成された、請求項３１に記載の装置。
【請求項４４】
前記処理システムは、
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
を行うようにさらに構成された、請求項４３に記載の装置。
【請求項４５】
前記処理システムは、
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
を行うようにさらに構成された、請求項３１に記載の装置。
【請求項４６】
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を行うためのコードを備えるコンピュータ可読媒体
を備える、コンピュータプログラム製品。
【発明の詳細な説明】
【技術分野】
【０００１】
（関連出願の相互参照）
[0001]本出願は、その全体が参照により本明細書に明確に組み込まれる、２０１２年１２月２８日に出願された「EXTENDING EMBMS SESSION IN LTE EMBMS」と題する米国非仮出願第１３／７３０，６５５号の利益を主張する。
【０００２】
[0002]本開示は、一般に、通信システムに関し、より詳細には、ロングタームエボリューション（ＬＴＥ（登録商標）：Long Term Evolution）発展型マルチメディアブロードキャストマルチキャストサービス（ｅＭＢＭＳ：evolved Multimedia Broadcast Multicast Service）におけるｅＭＢＭＳセッションを拡張することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを提供するために様々な電気通信規格において採用されている。新生の電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、無線リソース制御（ＲＲＣ：radio resource control）アイドルモードにある間、第１のマルチキャストブロードキャスト単一周波数ネットワーク（ＭＢＳＦＮ：multicast broadcast single frequency network）エリア中で第１のセルからマルチメディアブロードキャストマルチキャストサービス（ＭＢＭＳ：multimedia broadcast multicast service）サービスを受信する。本装置は、第２のセルのカバレージに移動すると、周波数内セル再選択を通じて第２のセルに再選択する。第２のセルは、第１のＭＢＳＦＮエリアとは異なる第２のＭＢＳＦＮエリア中のＭＢＳＦＮセルまたは非ＭＢＳＦＮセルである。本装置は、第２のセルからページング信号を受信しながら、第１のセルから直接ＭＢＭＳサービスを受信し続ける。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]マルチキャストブロードキャスト単一周波数ネットワーク中の発展型マルチメディアブロードキャストマルチキャストサービスを示す図。
【図８Ａ】[0013]マルチキャストチャネルスケジューリング情報メディアアクセスコントロール制御要素のフォーマットを示す図。
【図８Ｂ】[0014]ｅＭＢＭＳ受信におけるすべての必要とされるメッセージとデータとを示す図。
【図９】[0015]例示的な方法を示すための図。
【図１０Ａ】[0016]例示的な方法を示すための図。
【図１０Ｂ】例示的な方法を示すための図。
【図１１】[0017]ワイヤレス通信の第１の方法のフローチャート。
【図１２】[0018]ワイヤレス通信の第２の方法のフローチャート。
【図１３】[0019]ワイヤレス通信の第３の方法のフローチャート。
【図１４】[0020]ワイヤレス通信の第４の方法のフローチャート。
【図１５】[0021]例示的な装置中の異なるモジュール／手段／構成要素間のデータフローを示す概念データフロー図。
【図１６】[0022]処理システムを採用する装置のためのハードウェア実装形態の一例を示す図。
【詳細な説明】
【０００７】
[0023]添付の図面に関して以下に示す詳細な説明は、様々な構成を説明するものであり、本明細書で説明する概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0024]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【０００９】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0026]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１１】
[0027]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0028]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを提供する。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを提供する。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0029]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を提供する。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を提供し得る。ＢＭ−ＳＣ１２６は、コンテンツプロバイダＭＢＭＳ送信のための入口点として働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするＭＢＳＦＮエリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0030]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数とオーバーラップするセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを提供するように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0032]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００１８】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0035]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0036]図４は、ＬＴＥにおけるＵＬフレーム構造の一例を示す図４００である。ＵＬのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0037]ＵＥには、ｅＮＢに制御情報を送信するために制御セクション中のリソースブロック４１０ａ、４１０ｂが割り当てられ得る。ＵＥには、ｅＮＢにデータを送信するためにデータセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0038]リソースブロックのセットは、初期システムアクセスを実行し、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、ＵＬデータ／シグナリングは搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試行は単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００２３】
[0039]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0040]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0041]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを提供する。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２６】
[0042]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0043]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0044]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0045]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0046]コントローラ／プロセッサ６５９はＬ２レイヤを実装する。コントローラ／プロセッサは、プログラムコードおよびデータを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0047]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0048]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0049]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0050]コントローラ／プロセッサ６７５はＬ２レイヤを実装する。コントローラ／プロセッサ６７５は、プログラムコードおよびデータを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、暗号解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0051]図７は、マルチキャストブロードキャスト単一周波数ネットワーク（ＭＢＳＦＮ）中の発展型ＭＢＭＳ（ｅＭＢＭＳ：evolved MBMS）を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４はそれぞれ、他のＭＢＳＦＮエリア、たとえば、最高で合計８つのＭＢＳＦＮエリアに関連付けられ得る。ＭＢＳＦＮエリア内のセルが予約済みセルを指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で電力が制限されている。ＭＢＳＦＮエリア中の各ｅＮＢは、同じｅＭＢＭＳ制御情報およびデータを同期的に送信する。各エリアは、ブロードキャストサービスと、マルチキャストサービスと、ユニキャストサービスとをサポートし得る。ユニキャストサービスは、特定のユーザを対象とするサービス、たとえば、音声コールである。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７を参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００３６】
[0052]ＵＥは、ｅＭＢＭＳサービスアクセスの利用可能性と、対応するアクセス層構成を発見するためにＬＴＥセルにキャンプオンすることができる。第１のステップにおいて、ＵＥは、システム情報ブロック（ＳＩＢ：system information block）１３（ＳＩＢ１３）を取得する。第２のステップにおいて、ＳＩＢ１３に基づいて、ＵＥは、ＭＣＣＨ上でＭＢＳＦＮエリア構成メッセージを取得する。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０個、１個、．．．、１０個のフレーム）、ＭＣＣＨ変更期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報などのＭＣＣＨを取得するための情報と、（３）ＭＣＣＨ変更通知構成とを示す。ＭＢＳＦＮエリア構成メッセージは、（１）ＰＭＣＨ内の論理チャネル識別子によって識別される各ＭＴＣＨの一時的モバイルグループ識別情報（ＴＭＧＩ：temporary mobile group identity）およびオプションのセッション識別子と、（２）ＭＢＳＦＮエリアの各ＰＭＣＨを送信するために割り振られたリソース（すなわち、無線フレームおよびサブフレーム）およびそのエリア中のすべてのＰＭＣＨのための割り振られたリソースの割振り期間（たとえば、４個、８個、．．．、２５６個のフレーム）と、（３）ＭＣＨスケジューリング情報（ＭＳＩ：MCH Scheduling Information）ＭＡＣ制御要素が送信されるＭＣＨスケジューリング期間（ＭＳＰ：MCH scheduling period）（たとえば、８個、１６個、３２個、．．．、または１０２４個の無線フレーム）とを示す。ＭＳＩ  ＭＡＣ制御要素は、ＭＳＰごとに一回送られ得る。ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームおよびサブフレームを示すことができる。図８Ａは、ＭＳＩ  ＭＡＣ制御要素のフォーマットを示す図８００である。
【００３７】
[0053]ｅＭＢＭＳサービスを受信しながら、ＵＥは、ＭＴＣＨを受信し続け、（１）関心ＭＴＣＨのＭＢＳＦＮエリアのＭＣＣＨと、（２）ＭＳＩ  ＭＡＣ制御要素と、（３）ＵＥが新しいセッションを受信することに関心をもっている場合、ＭＣＣＨ変更の通知と（通知は、ＭＢＭＳ無線ネットワーク一時識別子（Ｍ−ＲＮＴＩ：MBMS radio network temporary identifier）に基づいてスクランブルされたＰＤＣＣＨ１Ｃメッセージ中で送られる）、（４）システム情報（ＳＩ）変更のためのページングと、（５）ＳＩＢ１３とを監視し得る。図８Ｂは、ｅＭＢＭＳ受信中の様々なメッセージとデータとを示す図８５０である。
【００３８】
[0054]ＲＲＣアイドルモードにあるＵＥは、セルを変更するためにセル再選択プロシージャに従い得る。周波数内セル再選択は、サービングセルとネイバーセルとの測定値に基づき得る。（たとえば、サービングセル信号が不十分であり、ネイバーセル信号が良好であるときに）セル再選択がトリガされるべきか否かを決定するために、ＣＲＳが測定される。周波数内セル再選択は、ＵＥに、関心がある（たとえば、ＴＭＧＩによって識別された）ｅＭＢＭＳセッションを送信しない別のセルに移動させることができる。しかしながら、同じＭＢＳＦＮエリア中のマルチプルなセルからの信号が、信号強度および品質を改善するためにＵＥにおいて組み合わせられ得るので、ＵＥは、セル再選択の後に良好なｅＭＢＭＳ信号を依然として受信し得る。ＵＥが周波数内セル再選択中およびその後にｅＭＢＭＳセッション持続時間を拡張することを可能にするための方法および装置が、以下で与えられる。
【００３９】
[0055]図９は、例示的な方法を示す図９００である。図９に示されているように、ＵＥ９０２は、ＲＲＣアイドルモードにある間、第１のＭＢＳＦＮエリア９１０中の第１のセル９１２からＭＢＭＳサービス９４０を受信している。（９０２ａとして示されている）ＵＥ９０２は、第２のセル９２２のカバレージに移動すると、周波数内セル再選択を通じて第２のセル９２２に再選択する。第２のセル９２２は、第１のＭＢＳＦＮエリア９１０とは異なる第２のＭＢＳＦＮエリア９２０中のＭＢＳＦＮセルまたは非ＭＢＳＦＮセルである。ＵＥ９０２ａは、第２のセル９２２からのページング信号９３０を同時に監視しながら、第１のセル９１２からＭＢＭＳサービス９４０を受信し続ける。ＵＥ９０２ａは、ＭＢＭＳサービス９４０が第１のセル９１２による送信から直接ＵＥ９０２ａによって受信されるので、第１のセル９１２から直接ＭＢＭＳサービス９４０を受信する。第２のセル９２２からのページング信号９３０を監視しながら、ＵＥ９０２ａはまた、第２のセル９２２からＳＩＢ９３０を取得し得る。ＵＥ９０２ａは、ＳＩＢ１３が第２のセル９２２から取得されたかどうかを決定し得る。ＳＩＢ１３が第２のセル９２２から取得されなかった場合、第２のセル９２２は非ＭＢＳＦＮセルであり、ＵＥ９０２ａは、第１のセルからＭＢＭＳサービス９４０を受信し続けることを決定する９３２。ＳＩＢ１３が第２のセル９２２から取得された場合、第２のセル９２２はＭＢＳＦＮセルであり、ＵＥ９０２ａは第２のセル９２２からＭＣＣＨ９３０を取得する。取得されたＭＣＣＨに基づいて、ＵＥ９０２ａは次いで、（第１のセル９１２から現在受信されているｅＭＢＭＳサービスのためのＴＭＧＩと同じユニークなＴＭＧＩによって識別される）同じＭＢＭＳサービスが第２のセル９２２によって提供されるかどうかを決定する９３２。同じＭＢＭＳサービスが第２のセル９２２によって提供されない場合、ＵＥ９０２ａは、第１のセル９１２からＭＢＭＳサービス９４０を受信し続けることを決定する。同じＭＢＭＳサービスが第２のセル９２２によって提供される場合、ＵＥ９０２ａは、第１のセル９１２からＭＢＭＳサービス９４０を受信することから、第２のセル９２２からＭＢＭＳサービス９３０を受信することに切り替える。第１のセル９１２からＭＢＭＳサービスを受信することから第２のセル９２２からＭＢＭＳサービスを受信することへの切替えにおいて、ＭＢＭＳサービスの連続性は維持され得る。
【００４０】
[0056]ＵＥ９０２ａが第１のセル９１２からＭＢＭＳサービス９４０を受信し、同時に第２のセル９２２からのページング信号９３０を監視している間、ＵＥ９０２ａは、第１のセル９１２からのメッセージのＵＥ処理を低減するために、第１のセル９１２からのＭＳＩおよび／またはＭＣＣＨのみを監視し得る。したがって、第１のセル９１２からのメッセージのＵＥ処理を低減するために、ＵＥ９０２ａは、第１のセル９１２からのＳＩＢ１３およびＭＣＣＨ変更の通知などの他のメッセージを監視することを控え得る。ＵＥが、第１のセル９１２からのＳＩＢ１３とＭＣＣＨ変更の通知とを監視することを控えるとき、ＵＥ９０２ａは、異なるＭＢＭＳサービスについての情報が第１のセル９１２から前に受信されなかった場合、第１のセル９１２から異なる（たとえば、新しい）ＭＢＭＳサービスを受信することに切り替えることを控え得る。
【００４１】
[0057]ＵＥ９０２ａが第１のセル９１２からＭＢＭＳサービス９４０を受信し、同時に第２のセル９２２からのページング信号９３０を監視している間、ＵＥ９０２ａは、第１のセル９１２からのＭＢＭＳサービス９４０からのデータが失われているかどうか、および／または第１のセル９１２からのＭＢＭＳサービス９４０の信号品質を決定し得る。高いＭＢＳＦＮサブフレーム復号誤り率を生じることがある、失われたデータが第１のしきい値よりも大きいとき、および／または信号品質が第２のしきい値よりも低いとき、ＵＥ９０２ａは、次いで、ＭＢＭＳサービス９４０の受信を停止し得る。ＳＩＢ１３とＭＣＣＨへの変更とを監視しないことに起因して、十分な信号品質をもつＭＢＭＳサービス９４０を受信しないほどおよび／またはＭＴＣＨを正確に受信しないほどに、ＵＥが第１のセル９１２に関連するＭＢＳＦＮエリアから遠ざかることにより、ＭＢＳＦＮサブフレーム復号エラーが引き起こされることがある。
【００４２】
[0058]第１のＭＢＳＦＮエリア９１０のエッジに移動した後に、ＵＥ９０２は、第１のＭＢＳＦＮエリア９１０中のセルのカバレージに戻ることがある。図９に示されているように、第１のＭＢＳＦＮエリア９１０中の第３のセル９１４のカバレージに移動すると、（９０２ｂ１として示されている）ＵＥ９０２は、周波数内セル再選択を通じて第２のセル９２２から第３のセル９１４に再選択し得る。ＵＥ９０２ｂ１は、第３のセル９１４からのページング信号を同時に監視しながら、第３のセル９１４からＭＢＭＳサービス９４０を受信し続け得る。セル９１２、９１４は異なるセルとして示されているが、それらは同じセルであり得る。そのような場合、第１のセル９１２のカバレージに移動すると、ＵＥ９０２は、周波数内セル再選択を通じて第２のセル９２２から第１のセル９１２に再選択し、第１のセル９１２からのページング信号を同時に監視しながら、第１のセル９１２からＭＢＭＳサービス９４０を受信し続ける。したがって、ＵＥは、ＭＢＳＦＮエリア境界において前後に、古いサービングセルか、または古いサービングセルと同じＭＢＳＦＮエリア中の別のセルに、セル再選択を実行し得る。
【００４３】
[0059]第１のＭＳＢＦＮエリア９１０のエッジに移動した後に、ＵＥ９０２は、第１のＭＢＳＦＮエリア９１０のエッジに沿って異なるセルに移動することがある。図９に示されているように、（９０２ｂ２として示されている）ＵＥ９０２は、第４のセル９２４のカバレージに移動すると、周波数内セル再選択を通じて第４のセル９２４に再選択し得る。第４のセル９２４は、第１のＭＢＳＦＮエリア９１０とは異なる第３のＭＢＳＦＮエリア９５０中のＭＢＳＦＮセルまたは非ＭＢＳＦＮセルである。ＵＥ９０２ｂ２は、第４のセル９２４からのページング信号９３４を同時に監視しながら、第１のＭＢＳＦＮエリア９１０中の１つまたは複数のセル９１２、９１４からＭＢＭＳサービス９４０を受信し続け得る。その後、（９０２ｃとして示されている）ＵＥ９０２は、第１のＭＢＳＦＮエリア９１０中の第３のセル９１４のカバレージに移動すると、周波数内セル再選択を通じて第４のセル９２４から第３のセル９１４に再選択し得る。９０２ｃは、第３のセル９１４からのページング信号９４０を同時に監視しながら、第３のセル９１４からＭＢＭＳサービス９４０を受信し続ける。
【００４４】
[0060]図１０Ａおよび図１０Ｂは、例示的な方法を示すための図である。図１０００は、サービングセルからページングを受信するためのスケジュールを示し、図１０５０は、ネイバーセルからＭＣＣＨと、ＭＳＩと、ＭＴＣＨとを受信するためのスケジュールを示す。ＵＥは、ネイバーセルから受信され、処理されるメッセージを低減するために、ＳＩＢ１３とＭＣＣＨ変更の通知とを受信することを控え得る。図１０００、図１０５０に示されているように、ページング受信とＭＢＳＦＮ受信とは時間的に独立である。特に、ＬＴＥ  ＦＤＤシステムでは、ページングは、サブフレーム０、４、５、および９中で受信され得、ＭＢＳＦＮメッセージおよびデータは、サブフレーム１、２、３、６、７、および８中で受信され得る。ＬＴＥ  ＴＤＤシステムでは、ページングは、サブフレーム０、１、５、および６中で受信され得（サブフレーム２は常にＵＬである）、ＴＤＤ  ＵＬ／ＤＬサブフレーム構成に応じて、ＭＢＳＦＮメッセージおよびデータは、サブフレーム３、４、７、８、および９のうちの０個またはそれ以上で受信され得る。（ＭＢＳＦＮにおいて必要に応じて）サービングセルとネイバーセルとが無線フレーム中で同期しているとき、ページングを受信する時間間隔と、ＭＣＣＨと、ＭＳＩと、ＭＴＣＨとを受信する時間間隔とはオーバーラップしない。サービングセルおよびネイバーセルが同じ周波数上にある場合、単一の受信機（または単一受信チェーン）をもつＵＥがページングとＭＢＳＦＮシグナリングとを受信することができる。ベースバンドプロセッサは、ある時間にページングサブフレームの処理をスケジュールし、別の時間に（１つまたは複数の）ＭＢＳＦＮサブフレームの処理をスケジュールすることができる。
【００４５】
[0061]ＵＥがネイバーセル（古いサービングセル）からｅＭＢＭＳサービスを受信し、新しいサービングセルからのページングメッセージを監視しているときには、ＵＥは、新しいサービングセルにおいてモバイル端末呼をセットアップするためのページを受信し得る。呼がセットアップされた後、ＵＥは、ＵＥが新しいサービングセルからあらゆるサブフレームを受信すべきである、ＲＲＣ接続モードに変わる。ＲＲＣ接続モードにあり、新しいサービングセルからユニキャストサービスを受信している間、ネイバーセルからのサービスと新しいサービングセルからのサービスとは、時間的にオーバーラップするように同時に生じるので、ＵＥは、ネイバーセルからｅＭＢＭＳサービスを受信しない。したがって、ネイバーセルからのＭＢＭＳサービスを搬送するサブフレームと、新しいサービングセルからのユニキャストサービスを搬送するサブフレームとがオーバーラップすることになるので、ＵＥは、ＭＢＭＳサービスとユニキャストサービスとを同時に受信することが可能であることにおいて競合を有する。
【００４６】
[0062]一構成では、ユーザは、新しいサービングセルからのユニキャストサービスと、ネイバーセルからのｅＭＢＭＳサービスとに関する選択を与えられる。第１の構成では、ＵＥは、ネイバーセルからＭＢＭＳサービスを受信することと新しいセルからユニキャストサービスを受信することとの間の優先度を示す（たとえば、ユーザ選好に基づいて事前構成された）優先度設定のための構成を受信する。ＵＥが新しいサービングセルからユニキャストサービスアベイラビリティを示すメッセージを受信するとき、ＵＥは、優先度設定のための構成に基づいて、ユニキャストサービスを受信すべきか、ＭＢＭＳサービスを受信すべきかを決定する。そのような構成では、ＵＥは、構成が、ＭＢＭＳサービスよりも高いユニキャストサービスについての優先度を示すとき、ＭＢＭＳサービスの受信を停止し、ユニキャストサービスを受信し、構成が、ユニキャストサービスよりも高いＭＢＭＳサービスについての優先度を示すとき、ＭＢＭＳサービスを受信し続け、ユニキャストサービスを受信することを控える。第２の構成では、ＵＥは、新しいサービングセルからユニキャストサービスアベイラビリティを示すメッセージを受信し、次いで、ユニキャストサービスを受信すべきか、ＭＢＭＳサービスを受信し続けるべきかをユーザに尋ねる。そのような構成では、ＵＥは、ユーザが、ユニキャストサービスを受信する要望を示すとき、ＭＢＭＳサービスの受信を停止し、ユニキャストサービスを受信し、ユーザが、ＭＢＭＳサービスを受信し続ける要望を示すとき、ＭＢＭＳサービスを受信し続け、ユニキャストサービスを受信することを控える。
【００４７】
[0063]図１１は、ワイヤレス通信の第１の方法のフローチャート１１００である。本方法はＵＥによって実行され得る。図１１に示されているように、ステップ１１０２において、ＵＥは、ＲＲＣアイドルモードにある間、第１のＭＢＳＦＮエリア中の第１のセルからＭＢＭＳサービスを受信する。ステップ１１０４において、ＵＥは、第２のセルのカバレージに移動すると、周波数内セル再選択を通じて第２のセルに再選択する。第２のセルは、第１のＭＢＳＦＮエリアとは異なる第２のＭＢＳＦＮエリア中のＭＢＳＦＮセルまたは非ＭＢＳＦＮセルである。ステップ１１０６において、ＵＥは、第２のセルからページング信号を受信しながら、第１のセルから直接ＭＢＭＳサービスを受信し続ける。ステップ１１０６において、ＵＥは、第１のセルからＭＢＭＳサービスを受信しながら、第１のセルからのＭＳＩおよび／またはＭＣＣＨのみを監視する。さらに、ＵＥは、異なるＭＢＭＳサービスについての情報が前に第１のセルから受信されなかったときには、第１のセルから異なるＭＢＭＳサービスを受信することに切り替えることを控える。
【００４８】
[0064]たとえば、図９を参照すると、ＵＥ９０２は、ＲＲＣアイドルモードにある間、第１のＭＢＳＦＮエリア９１０中の第１のセル９１２からＭＢＭＳサービス９４０を受信する。（９０２ａとして示されている）ＵＥ９０２は、第２のセル９２２のカバレージに移動すると、周波数内セル再選択を通じて第２のセル９２２に再選択する。第２のセル９２２は、第１のＭＢＳＦＮエリア９１０とは異なる第２のＭＢＳＦＮエリア９２０中のＭＢＳＦＮセルまたは非ＭＢＳＦＮセルである。ＵＥ９０２ａは、第２のセル９２２からページング信号９３０を受信しながら、第１のセル９１２から直接ＭＢＭＳサービス９４０を受信し続ける。
【００４９】
[0065]ステップ１１０８において、ＵＥは第２のセルからＳＩＢを取得する。ステップ１１１０において、ＵＥは、ＳＩＢ１３が第２のセルから取得されたかどうかを決定する。ＳＩＢ１３が第２のセルから取得されなかった場合、ステップ１１１２において、ＵＥは、第１のセルからＭＢＭＳサービスを受信し続けることを決定する。ＳＩＢ１３が第２のセルから取得された場合、ステップ１１１４において、ＵＥは第２のセルからＭＣＣＨを取得する。ステップ１１１６において、ＵＥは次いで、取得されたＭＣＣＨに基づいて、ＭＢＭＳサービスが第２のセルによって提供されるかどうかを決定する。ＭＢＭＳサービスが第２のセルによって提供されない場合、ステップ１１１２において、ＵＥは、第１のセルからＭＢＭＳサービスを受信し続けることを決定する。しかしながら、ＵＥが、ＭＢＭＳサービスが第２のセルによって提供されると決定する場合、ステップ１１１８において、ＵＥは、第１のセルからＭＢＭＳサービスを受信することから、第２のセルからＭＢＭＳサービスを受信することに切り替える。ステップ１１２０において、ＵＥは、第１のセルからのＭＢＭＳサービスからのデータが失われているかどうか、および／または第１のセルからのＭＢＭＳサービスの信号品質を決定する。失われたデータが第１のしきい値よりも大きいとき、および／または信号品質が第２のしきい値よりも少ないときには、ステップ１１２２において、ＵＥはＭＢＭＳサービスの受信を停止する。
【００５０】
[0066]たとえば、図９を参照すると、ＵＥ９０２ａは第２のセル９２２からＳＩＢを取得し得る。ＵＥ９０２ａは、ＳＩＢ１３が第２のセル９２２から取得されたかどうかを決定し得る。ＳＩＢ１３が第２のセル９２２から取得されなかった場合、ＵＥ９０２ａは、第１のセル９１２からＭＢＭＳサービス９４０を受信し続けることを決定し得る。ＳＩＢ１３が第２のセル９２２から取得された場合、ＵＥ９０２ａは第２のセル９２２からＭＣＣＨ９３０を取得し得る。ＵＥ９０２ａは、次いで、取得されたＭＣＣＨ９３０に基づいて、（同じＴＭＧＩをもつ第１のセル９１２から現在受信されている）ＭＢＭＳサービスが第２のセル９２２によって提供されるかどうかを決定し得る。ＭＢＭＳサービスが第２のセル９２２によって提供されない場合、ＵＥ９０２ａは、第１のセル９１２からＭＢＭＳサービス９４０を受信し続けることを決定し得る。しかしながら、ＵＥ９０２ａが、ＭＢＭＳサービスが第２のセル９２２によって提供されると決定する場合、ＵＥ９０２ａは、第１のセル９１２からＭＢＭＳサービス９４０を受信することから、第２のセル９２２からＭＢＭＳサービス９３０を受信することに切り替える。ＵＥ９０２ａが第１のセル９１２からＭＢＭＳサービス９４０を受信している間、ＵＥ９０２ａは、第１のセル９１２からのＭＢＭＳサービス９４０からのデータが失われているかどうか、および／または第１のセル９１２からのＭＢＭＳサービス９４０の信号品質を決定し得る。失われたデータが第１のしきい値よりも大きいとき、および／または信号品質が第２のしきい値よりも低いとき、ＵＥ９０２ａは、ＭＢＭＳサービス９４０の受信を停止し得る。第１のしきい値および第２のしきい値は、許容ＭＢＳＦＮサブフレーム復号誤り率に基づいて設定され得る。
【００５１】
[0067]図１２は、ワイヤレス通信の第３の方法のフローチャート１２００である。本方法はＵＥによって実行され得る。ステップ１２０２において、ＵＥは、ＲＲＣアイドルモードにある間、第１のＭＢＳＦＮエリア中の第１のセルからＭＢＭＳサービスを受信する。ステップ１２０４において、ＵＥは、第２のセルのカバレージに移動すると、周波数内セル再選択を通じて第２のセルに再選択する。第２のセルは、第１のＭＢＳＦＮエリアとは異なる第２のＭＢＳＦＮエリア中のＭＢＳＦＮセルまたは非ＭＢＳＦＮセルである。ステップ１２０６において、ＵＥは、第２のセルからページング信号を受信しながら、第１のセルから直接ＭＢＭＳサービスを受信し続ける。
【００５２】
[0068]ステップ１２０８において、ＵＥは、第１のＭＢＳＦＮエリア中の第３のセルのカバレージに移動すると、周波数内セル再選択を通じて第２のセルから第３のセルに再選択する。ステップ１２１０において、ＵＥは、第３のセルからページング信号を受信しながら、第３のセルから直接ＭＢＭＳサービスを受信し続ける。たとえば、図９を参照すると、（９０２ｂ１として示されている）ＵＥ９０２ａは、第１のＭＢＳＦＮエリア９１０中の第３のセル９１４のカバレージに移動すると、周波数内セル再選択を通じて第２のセル９２２から第３のセル９１４に再選択し得る。ＵＥ９０２ｂ１は、第３のセル９１４からページング信号を受信しながら、第３のセル９１４から直接ＭＢＭＳサービス９４０を受信し続け得る。第３のセルは元のサービングセル９１２であり得る。そのような場合、ＵＥ９０２ａは、第１のＭＢＳＦＮエリア９１０中の第３のセル９１４のカバレージに移動すると、周波数内セル再選択を通じて第２のセル９２２から第３のセル９１４に再選択し得る。ＵＥは、第３のセル９１４からページング信号を受信しながら、第３のセル９１４から直接ＭＢＭＳサービス９４０を受信し続け得る。したがって、ＵＥは、セル境界に沿った隣接セルを用いて前後にセル再選択を実行し、第１のＭＢＳＦＮエリア９１０からのＭＢＭＳサービス受信を維持し得る。
【００５３】
[0069]ステップ１２１２において、ＵＥは、第３のセルのカバレージに移動すると、周波数内セル再選択を通じて第３のセルに再選択する。第３のセルは、第１のＭＢＳＦＮエリアとは異なる第３のＭＢＳＦＮエリア中のＭＢＳＦＮセルまたは非ＭＢＳＦＮセルである。ステップ１２１４において、ＵＥは、第３のセルからページング信号を受信しながら、第１のＭＢＳＦＮエリア中の１つまたは複数のセルから直接ＭＢＭＳサービスを受信し続ける。たとえば、図９を参照すると、（９０２ｂ２として示されている）ＵＥ９０２ａは、第３のセル９２４のカバレージに移動すると、周波数内セル再選択を通じて第３のセル９２４に再選択し得る。第３のセル９２４は、第１のＭＢＳＦＮエリア９１０とは異なる第３のＭＢＳＦＮエリア９５０中のＭＢＳＦＮセルまたは非ＭＢＳＦＮセルである。ＵＥ９０２ｂは、第３のセル９２４からページング信号９３４を受信しながら、第１のＭＢＳＦＮエリア９１０中の１つまたは複数のセル９１２、９１４から直接ＭＢＭＳサービス９４０、９４０を受信し続ける。
【００５４】
[0070]図１３は、ワイヤレス通信の第４の方法のフローチャート１３００である。本方法はＵＥによって実行され得る。ステップ１３０２において、ＵＥは、第１のセルからＭＢＭＳサービスを受信することと第２のセルからユニキャストサービスを受信することとの間の優先度を示す優先度設定のための構成を受信する。ＵＥは、ユーザ入力を通じて、または事前構成された優先度設定を通じて、優先度設定のための構成を受信し得る。ステップ１３０４において、ＵＥは、第２のセルからユニキャストサービスアベイラビリティを示すメッセージを受信する。ステップ１３０６において、ＵＥは、優先度設定のための構成に基づいて、ユニキャストサービスを受信すべきか、ＭＢＭＳサービスを受信すべきかを決定する。ステップ１３０８において、構成が、ＭＢＭＳサービスよりも高いユニキャストサービスについての優先度を示すとき、ステップ１３１０において、ＵＥは、ＭＢＭＳサービスの受信を停止し、ユニキャストサービスを受信する。ステップ１３０８において、構成が、ユニキャストサービスよりも高いＭＢＭＳサービスについての優先度を示すとき、ステップ１３１２において、ＵＥは、ＭＢＭＳサービスを受信し続け、ユニキャストサービスを受信することを控える。
【００５５】
[0071]図１４は、第２のワイヤレス通信の方法のフローチャート１４００である。本方法はＵＥによって実行され得る。ステップ１４０２において、ＵＥは、第２のセルからユニキャストサービスアベイラビリティを示すメッセージを受信する。ステップ１４０４において、ＵＥは、ユニキャストサービスを受信すべきか、ＭＢＭＳサービスを受信し続けるべきかをユーザに尋ねる。たとえば、ＵＥは、ユニキャストサービスを受信すべきか、ＭＢＭＳサービスを受信し続けるべきかを選択するための選択ウィンドウを提示し得る。ステップ１４０６において、ユーザが（たとえば、選択ウィンドウ中の選択によって）ユニキャストサービスを受信する要望を示すとき、ステップ１４０８において、ＵＥは、ＭＢＭＳサービスの受信を停止し、ユニキャストサービスを受信する。ステップ１４０６において、ユーザが（たとえば、選択ウィンドウ中の選択によって）ＭＢＭＳサービスを受信し続ける要望を示すとき、ステップ１４１０において、ＵＥは、ＭＢＭＳサービスを受信し続け、ユニキャストサービスを受信することを控える。
【００５６】
[0072]図１５は、例示的な装置１５０２中の異なるモジュール／手段／構成要素間のデータフローを示す概念的データフロー図１５００である。装置１５０２は、ＲＲＣアイドルモードにある間、第１のＭＢＳＦＮエリア中の第１のセル１５５０からＭＢＭＳサービスを受信するように構成された受信モジュール１５０４を含む。装置１５０２は、第２のセル１５６０のカバレージに移動すると、周波数内セル再選択を通じて第２のセル１５６０に再選択するように構成された再選択モジュール１５０６をさらに含む。第２のセル１５６０は、第１のＭＢＳＦＮエリアとは異なる第２のＭＢＳＦＮエリア中のＭＢＳＦＮセルまたは非ＭＢＳＦＮセルである。受信モジュール１５０４は、第２のセル１５６０からページング信号を受信しながら、第１のセル１５５０から直接ＭＢＭＳサービスを受信し続けるようにさらに構成される。受信モジュール１５０４は、第２のセル１５６０からＳＩＢを取得するようにさらに構成され得る。受信モジュール１５０４は、ＳＩＢ処理モジュール１５１０に、受信されたＳＩＢを与えるように構成され、ＳＩＢ処理モジュール１５１０は、ＳＩＢ１３が第２のセル１５６０から取得されたかどうかを決定するように構成される。受信モジュール１５０４は、ＳＩＢ１３が第２のセル１５６０から取得されなかったと決定すると、第１のセル１５５０からＭＢＭＳサービスを受信し続けることを決定するようにさらに構成され得る。受信モジュール１５０４は、ＳＩＢ１３が第２のセル１５６０から取得されたと決定すると、第２のセル１５６０からＭＣＣＨを取得するように構成され得る。受信モジュール１５０４は、ＭＣＣＨ処理モジュール１５１２に、取得されたＭＣＣＨを与えるように構成され得、ＭＣＣＨ処理モジュール１５１２は、取得されたＭＣＣＨに基づいて、ＭＢＭＳサービスが第２のセル１５６０によって提供されるかどうかを決定するように構成され得る。受信モジュール１５０４は、ＭＢＭＳサービスが第２のセル１５６０によって提供されないと決定すると、第１のセル１５５０からＭＢＭＳサービスを受信し続けることを決定するように構成され得る。受信モジュール１５０４は、ＭＢＭＳサービスが第２のセル１５６０によって提供されると決定すると、第１のセル１５５０からＭＢＭＳサービスを受信することから、第２のセル１５６０からＭＢＭＳサービスを受信することに切り替えるように構成され得る。受信モジュール１５０４は、第１のセル１５５０からＭＢＭＳサービスを受信しながら、第１のセル１５５０からのＭＳＩおよび／またはＭＣＣＨのみを監視するように構成され得る。受信モジュール１５０４は、異なるＭＢＭＳサービスについての情報が第１のセル１５５０から前に受信されなかったとき、第１のセル１５５０から異なるＭＢＭＳサービスを受信することに切り替えることを控えるように構成され得る。受信モジュール１５０４は、ＭＢＭＳモジュール１５０８にＭＢＭＳサービスを提供するように構成され得る。ＭＢＭＳモジュール１５０８は、第１のセル１５５０からのＭＢＭＳサービスからのデータが失われているかどうか、および／または第１のセル１５５０からのＭＢＭＳサービスの信号品質を決定するようにさらに構成され得る。受信モジュール１５０４は、失われたデータが第１のしきい値よりも大きいとき、および／または信号品質が第２のしきい値よりも低いとき、ＭＢＭＳサービスの受信を停止するように構成され得る。
【００５７】
[0073]受信モジュール１５０４は、第１のＭＢＳＦＮエリア中の第３のセルのカバレージに移動すると、周波数内セル再選択を通じて第２のセル１５６０から第３のセルに再選択することと、第３のセルからページング信号を受信しながら、第３のセルから直接ＭＢＭＳサービスを受信し続けることとを行うように構成され得る。受信モジュール１５０４は、第３のセルのカバレージに移動すると、周波数内セル再選択を通じて第３セルに再選択するようにさらに構成され得る。第３のセルは、第１のＭＢＳＦＮエリアとは異なる第３のＭＢＳＦＮエリア中のＭＢＳＦＮセルまたは非ＭＢＳＦＮセルである。受信モジュール１５０４は、第３のセルからページング信号を受信しながら、第１のＭＢＳＦＮエリア中の１つまたは複数のセルから直接ＭＢＭＳサービスを受信するようにさらに構成され得る。
【００５８】
[0074]装置１５０２は、ユニキャスト／ＭＢＭＳ選好入力モジュール１５１４をさらに含み得る。ユニキャスト／ＭＢＭＳ選好入力モジュール１５１４は、第１のセル１５５０からＭＢＭＳサービスを受信することと第２のセル１５６０からユニキャストサービスを受信することとの間の優先度を示す優先度設定のための構成を受信することと、第２のセル１５６０からユニキャストサービスアベイラビリティを示すメッセージを受信することと、優先度設定のための構成に基づいて、ユニキャストサービスを受信すべきか、ＭＢＭＳサービスを受信すべきかを決定することとを行うように構成され得る。受信モジュール１５０４は、構成が、ＭＢＭＳサービスよりも高いユニキャストサービスについての優先度を示すとき、ＭＢＭＳサービスの受信を停止し、ユニキャストサービスを受信することと、構成が、ユニキャストサービスよりも高いＭＢＭＳサービスについての優先度を示すとき、ＭＢＭＳサービスを受信し続け、ユニキャストサービスを受信することを控えることとを行うように構成され得る。ユニキャスト／ＭＢＭＳ選好入力モジュール１５１４は、第２のセル１５６０からユニキャストサービスアベイラビリティを示すメッセージを受信することと、ユニキャストサービスを受信すべきか、ＭＢＭＳサービスを受信し続けるべきかをユーザに尋ねることとを行うように構成され得る。受信モジュール１５０４は、ユーザが、ユニキャストサービスを受信する要望を示すとき、ＭＢＭＳサービスの受信を停止し、ユニキャストサービスを受信することと、ユーザが、ＭＢＭＳサービスを受信し続ける要望を示すとき、ＭＢＭＳサービスを受信し続け、ユニキャストサービスを受信することを控えることとを行うように構成され得る。
【００５９】
[0075]本装置は、図１１〜図１４の上述のフローチャート中のアルゴリズムのステップの各々を実行する追加のモジュールを含み得る。したがって、図１１〜図１４の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６０】
[0076]図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４、モジュール１５０４、１５０６、１５０８、１５１０、１５１２、１５１４、およびコンピュータ可読媒体１６０６によって表される１つまたは複数のプロセッサおよび／またはハードウェアモジュールを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００６１】
[0077]処理システム１６１４はトランシーバ１６１０に結合され得る。トランシーバ１６１０は、１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信した信号から情報を抽出し、抽出された情報を処理システム１６１４、特に受信モジュール１５０４に与える。さらに、トランシーバ１６１０は、処理システム１６１４から情報を受信し、受信した情報に基づいて、１つまたは複数のアンテナ１６２０に適用されるべき信号を生成する。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担当する。ソフトウェアは、プロセッサ１６０４によって実行されたとき、処理システム１６１４に、特定の装置のための上記で説明した様々な機能を実行させる。コンピュータ可読媒体１６０６はまた、ソフトウェアを実行するときにプロセッサ１６０４によって操作されるデータを記憶するために使用され得る。処理システムは、モジュール１５０４、１５０６、１５０８、１５１０、１５１２、および１５１４のうちの少なくとも１つをさらに含む。それらのモジュールは、プロセッサ１６０４中で動作するか、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００６２】
[0078]一構成では、ワイヤレス通信のための装置１５０２／１５０２’は、ＲＲＣアイドルモードにある間、第１のＭＢＳＦＮエリア中の第１のセルからＭＢＭＳサービスを受信するための手段を含む。本装置は、第２のセルのカバレージに移動すると、周波数内セル再選択を通じて第２のセルに再選択するための手段をさらに含み得る。第２のセルは、第１のＭＢＳＦＮエリアとは異なる第２のＭＢＳＦＮエリア中のＭＢＳＦＮセルまたは非ＭＢＳＦＮセルである。本装置は、第２のセルからページング信号を受信しながら、第１のセルから直接ＭＢＭＳサービスを受信し続けるための手段をさらに含み得る。本装置は、第２のセルからＳＩＢを取得するための手段と、ＳＩＢ１３が第２のセルから取得されたかどうかを決定するための手段とをさらに含み得る。本装置は、ＳＩＢ１３が第２のセルから取得されなかったと決定すると、第１のセルからＭＢＭＳサービスを受信し続けることを決定するための手段をさらに含み得る。本装置は、ＳＩＢ１３が第２のセルから取得されたと決定すると、第２のセルからＭＣＣＨを取得するための手段と、取得されたＭＣＣＨに基づいて、ＭＢＭＳサービスが第２のセルによって与えられるかどうかを決定するための手段とをさらに含み得る。本装置は、ＭＢＭＳサービスが第２のセルによって与えられないと決定すると、第１のセルからＭＢＭＳサービスを受信し続けることを決定するための手段をさらに含み得る。本装置は、ＭＢＭＳサービスが第２のセルによって与えられると決定すると、第１のセルからＭＢＭＳサービスを受信することから、第２のセルからＭＢＭＳサービスを受信することに切り替えるための手段をさらに含み得る。本装置は、第１のセルからＭＢＭＳサービスを受信しながら、第１のセルからのＭＳＩまたはＭＣＣＨのうちの少なくとも１つのみを監視するための手段をさらに含み得る。本装置は、異なるＭＢＭＳサービスについての情報が第１のセルから前に受信されなかったとき、第１のセルから異なるＭＢＭＳサービスを受信することに切り替えることを控えるための手段をさらに含み得る。本装置は、第１のセルからのＭＢＭＳサービスからのデータが失われているかどうか、または第１のセルからのＭＢＭＳサービスの信号品質のうちの少なくとも１つを決定するための手段と、失われたデータが第１のしきい値よりも大きいとき、または信号品質が第２のしきい値よりも低いときのうちの少なくとも１つにおいて、ＭＢＭＳサービスの受信を停止するための手段とをさらに含み得る。本装置は、第１のＭＢＳＦＮエリア中の第３のセルのカバレージに移動すると、周波数内セル再選択を通じて第２のセルから第３のセルに再選択するための手段と、第３のセルからページング信号を受信しながら、第３のセルから直接ＭＢＭＳサービスを受信し続けるための手段とをさらに含み得る。本装置は、第１のセルからＭＢＭＳサービスを受信することと第２のセルからユニキャストサービスを受信することとの間の優先度を示す優先度設定のための構成を受信するための手段と、第２のセルからユニキャストサービスアベイラビリティを示すメッセージを受信するための手段と、優先度設定のための構成に基づいて、ユニキャストサービスを受信すべきか、ＭＢＭＳサービスを受信すべきかを決定するための手段とをさらに含み得る。本装置は、構成が、ＭＢＭＳサービスよりも高いユニキャストサービスについての優先度を示すとき、ＭＢＭＳサービスの受信を停止し、ユニキャストサービスを受信するための手段と、構成が、ユニキャストサービスよりも高いＭＢＭＳサービスについての優先度を示すとき、ＭＢＭＳサービスを受信し続け、ユニキャストサービスを受信することを控えるための手段とをさらに含み得る。本装置は、第２のセルからユニキャストサービスアベイラビリティを示すメッセージを受信するための手段と、ユニキャストサービスを受信すべきか、ＭＢＭＳサービスを受信し続けるべきかをユーザに尋ねるための手段とをさらに含み得る。本装置は、ユーザが、ユニキャストサービスを受信する要望を示すとき、ＭＢＭＳサービスの受信を停止し、ユニキャストサービスを受信するための手段と、ユーザが、ＭＢＭＳサービスを受信し続ける要望を示すとき、ＭＢＭＳサービスを受信し続け、ユニキャストサービスを受信することを控えるための手段とをさらに含み得る。本装置は、第３のセルのカバレージに移動すると、周波数内セル再選択を通じて第３のセルに再選択するための手段と、第３のセルが、第１のＭＢＳＦＮエリアとは異なる第３のＭＢＳＦＮエリア中のＭＢＳＦＮセルまたは非ＭＢＳＦＮセルである、第３のセルからページング信号を受信しながら、第１のＭＢＳＦＮエリア中の１つまたは複数のセルからＭＢＭＳサービスを受信し続けるための手段とをさらに含み得る。
【００６３】
[0079]上述の手段は、上述の手段によって具陳される機能を実行するように構成された、装置１５０２、および／または装置１５０２’の処理システム１６１４の上述のモジュールのうちの１つまたは複数であり得る。上記で説明したように、処理システム１６１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００６４】
[0080]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６５】
[0081]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2018129831.tif 000003
【図２】
2018129831.tif 000004
【図３】
2018129831.tif 000005
【図４】
2018129831.tif 000006
【図５】
2018129831.tif 000007
【図６】
2018129831.tif 000008
【図７】
2018129831.tif 000009
【図８Ａ】
2018129831.tif 000010
【図８Ｂ】
2018129831.tif 000011
【図９】
2018129831.tif 000012
【図１０Ａ】
2018129831.tif 000013
【図１０Ｂ】
2018129831.tif 000014
【図１１】
2018129831.tif 000015
【図１２】
2018129831.tif 000016
【図１３】
2018129831.tif 000017
【図１４】
2018129831.tif 000018
【図１５】
2018129831.tif 000019
【図１６】
2018129831.tif 000020
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を備える、ワイヤレス通信の方法。
【手続補正２】
【補正対象書類名】明細書
【補正対象項目名】００６５
【補正方法】変更
【補正の内容】
【００６５】
[0081]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、出願当初の特許請求の範囲に記載された発明を付記する。
［Ｃ１］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を備える、ワイヤレス通信の方法。
［Ｃ２］
前記第２のセルからシステム情報ブロック（ＳＩＢ）を取得することと、
システム情報ブロック１３（ＳＩＢ１３）が前記第２のセルから取得されたかどうかを決定することと
をさらに備える、上記Ｃ１に記載の方法。
［Ｃ３］
前記ＳＩＢ１３が前記第２のセルから取得されなかったと決定すると、前記第１のセルから前記ＭＢＭＳサービスを受信し続けることを決定することをさらに備える、上記Ｃ２に記載の方法。
［Ｃ４］
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
をさらに備える、上記Ｃ２に記載の方法。
［Ｃ５］
前記ＭＢＭＳサービスが前記第２のセルによって提供されないと決定すると、前記第１のセルから前記ＭＢＭＳサービスを受信し続けることを決定することをさらに備える、上記Ｃ４に記載の方法。
［Ｃ６］
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えることをさらに備える、上記Ｃ４に記載の方法。
［Ｃ７］
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視することをさらに備える、上記Ｃ１に記載の方法。
［Ｃ８］
異なるＭＢＭＳサービスについての情報が前記第１のセルから前に受信されなかったとき、前記第１のセルから前記異なるＭＢＭＳサービスを受信することに切り替えることを控えることをさらに備える、上記Ｃ１に記載の方法。
［Ｃ９］
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
をさらに備える、上記Ｃ１に記載の方法。
［Ｃ１０］
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
をさらに備える、上記Ｃ１に記載の方法。
［Ｃ１１］
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
をさらに備える、上記Ｃ１に記載の方法。
［Ｃ１２］
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
をさらに備える、上記Ｃ１１に記載の方法。
［Ｃ１３］
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
をさらに備える、上記Ｃ１に記載の方法。
［Ｃ１４］
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
をさらに備える、上記Ｃ１３に記載の方法。
［Ｃ１５］
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
をさらに備える、上記Ｃ１に記載の方法。
［Ｃ１６］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信するための手段と、
第２のセルのカバレージに移動すると、周波数内セル再選択を通じて前記第２のセルに再選択するための手段と、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けるための手段と
を備える、ワイヤレス通信のための装置。
［Ｃ１７］
前記第２のセルからシステム情報ブロック（ＳＩＢ）を取得するための手段と、
システム情報ブロック１３（ＳＩＢ１３）が前記第２のセルから取得されたかどうかを決定するための手段と
をさらに備える、上記Ｃ１６に記載の装置。
［Ｃ１８］
前記ＳＩＢ１３が前記第２のセルから取得されなかったと決定すると、前記第１のセルから前記ＭＢＭＳサービスを受信し続けることを決定するための手段をさらに備える、上記Ｃ１７に記載の装置。
［Ｃ１９］
前記ＳＩＢ１３が前記第２のセルから取得されたと決定すると、前記第２のセルからマルチキャスト制御チャネル（ＭＣＣＨ）を取得するための手段と、
前記取得されたＭＣＣＨに基づいて、前記ＭＢＭＳサービスが前記第２のセルによって提供されるかどうかを決定するための手段と
をさらに備える、上記Ｃ１７に記載の装置。
［Ｃ２０］
前記ＭＢＭＳサービスが前記第２のセルによって提供されないと決定すると、前記第１のセルから前記ＭＢＭＳサービスを受信し続けることを決定するための手段をさらに備える、上記Ｃ１９に記載の装置。
［Ｃ２１］
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるための手段をさらに備える、上記Ｃ１９に記載の装置。
［Ｃ２２］
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するための手段をさらに備える、上記Ｃ１６に記載の装置。
［Ｃ２３］
異なるＭＢＭＳサービスについての情報が前記第１のセルから前に受信されなかったとき、前記第１のセルから前記異なるＭＢＭＳサービスを受信することに切り替えることを控えるための手段をさらに備える、上記Ｃ１６に記載の装置。
［Ｃ２４］
前記第１のセルからの前記ＭＢＭＳサービスからのデータが失われているかどうか、または前記第１のセルからの前記ＭＢＭＳサービスの信号品質のうちの少なくとも１つを決定するための手段と、
失われたデータが第１のしきい値よりも大きいとき、または前記信号品質が第２のしきい値よりも低いときのうちの少なくとも１つにおいて、前記ＭＢＭＳサービスの受信を停止するための手段と
をさらに備える、上記Ｃ１６に記載の装置。
［Ｃ２５］
前記第１のＭＢＳＦＮエリア中の第３のセルのカバレージに移動すると、周波数内セル再選択を通じて前記第２のセルから前記第３のセルに再選択するための手段と、
前記第３のセルからページング信号を受信しながら、前記第３のセルから直接前記ＭＢＭＳサービスを受信し続けるための手段と
をさらに備える、上記Ｃ１６に記載の装置。
［Ｃ２６］
前記第１のセルから前記ＭＢＭＳサービスを受信することと前記第２のセルからユニキャストサービスを受信することとの間の優先度を示す優先度設定のための構成を受信するための手段と、
前記第２のセルからユニキャストサービスアベイラビリティを示すメッセージを受信するための手段と、
前記優先度設定のための前記構成に基づいて、前記ユニキャストサービスを受信すべきか、前記ＭＢＭＳサービスを受信すべきかを決定するための手段と
をさらに備える、上記Ｃ１６に記載の装置。
［Ｃ２７］
前記構成が、前記ＭＢＭＳサービスよりも高い前記ユニキャストサービスについての優先度を示すとき、前記ＭＢＭＳサービスの受信を停止し、前記ユニキャストサービスを受信するための手段と、
前記構成が、前記ユニキャストサービスよりも高い前記ＭＢＭＳサービスについての優先度を示すとき、前記ＭＢＭＳサービスを受信し続け、前記ユニキャストサービスを受信することを控えるための手段と
をさらに備える、上記Ｃ２６に記載の装置。
［Ｃ２８］
前記第２のセルからユニキャストサービスアベイラビリティを示すメッセージを受信するための手段と、
前記ユニキャストサービスを受信すべきか、前記ＭＢＭＳサービスを受信し続けるべきかをユーザに尋ねるための手段と
をさらに備える、上記Ｃ１６に記載の装置。
［Ｃ２９］
前記ユーザが、前記ユニキャストサービスを受信する要望を示すとき、前記ＭＢＭＳサービスの受信を停止し、前記ユニキャストサービスを受信するための手段と、
前記ユーザが、前記ＭＢＭＳサービスを受信し続ける要望を示すとき、前記ＭＢＭＳサービスを受信し続け、前記ユニキャストサービスを受信することを控えるための手段と
をさらに備える、上記Ｃ２８に記載の装置。
［Ｃ３０］
第３のセルのカバレージに移動すると、周波数内セル再選択を通じて前記第３のセルに再選択するための手段と、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けるための手段と
をさらに備える、上記Ｃ１６に記載の装置。
［Ｃ３１］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を行うように構成された処理システム
を備える、ワイヤレス通信の装置。
［Ｃ３２］
前記処理システムは、
前記第２のセルからシステム情報ブロック（ＳＩＢ）を取得することと、
システム情報ブロック１３（ＳＩＢ１３）が前記第２のセルから取得されたかどうかを決定することと
を行うようにさらに構成された、上記Ｃ３１に記載の装置。
［Ｃ３３］
前記処理システムは、前記ＳＩＢ１３が前記第２のセルから取得されなかったと決定すると、前記第１のセルから前記ＭＢＭＳサービスを受信し続けることを決定するようにさらに構成された、上記Ｃ３２に記載の装置。
［Ｃ３４］
前記処理システムは、
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
を行うようにさらに構成された、上記Ｃ３２に記載の装置。
［Ｃ３５］
前記処理システムは、前記ＭＢＭＳサービスが前記第２のセルによって提供されないと決定すると、前記第１のセルから前記ＭＢＭＳサービスを受信し続けることを決定するようにさらに構成された、上記Ｃ３４に記載の装置。
［Ｃ３６］
前記処理システムは、前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるようにさらに構成された、上記Ｃ３４に記載の装置。
［Ｃ３７］
前記処理システムは、前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するようにさらに構成された、上記Ｃ３１に記載の装置。
［Ｃ３８］
前記処理システムは、異なるＭＢＭＳサービスについての情報が前記第１のセルから前に受信されなかったとき、前記第１のセルから前記異なるＭＢＭＳサービスを受信することに切り替えることを控えるようにさらに構成された、上記Ｃ３１に記載の装置。
［Ｃ３９］
前記処理システムは、
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
を行うようにさらに構成された、上記Ｃ３１に記載の装置。
［Ｃ４０］
前記処理システムが、
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
を行うようにさらに構成された、上記Ｃ３１に記載の装置。
［Ｃ４１］
前記処理システムが、
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
を行うようにさらに構成された、上記Ｃ３１に記載の装置。
［Ｃ４２］
前記処理システムは、
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
を行うようにさらに構成された、上記Ｃ４１に記載の装置。
［Ｃ４３］
前記処理システムが、
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
を行うようにさらに構成された、上記Ｃ３１に記載の装置。
［Ｃ４４］
前記処理システムは、
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
を行うようにさらに構成された、上記Ｃ４３に記載の装置。
［Ｃ４５］
前記処理システムは、
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中のＭＢＳＦＮセルまたは非ＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
を行うようにさらに構成された、上記Ｃ３１に記載の装置。
［Ｃ４６］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中のＭＢＳＦＮセルまたは非ＭＢＳＦＮセルである、
前記第２のセルからページング信号を受信しながら、前記第１のセルから直接前記ＭＢＭＳサービスを受信し続けることと
を行うためのコードを備えるコンピュータ可読媒体
を備える、コンピュータプログラム製品。
【外国語明細書】
2018129831000001.pdf